【手続補正書】
【提出日】平成18年8月16日(2006.8.16)
【手続補正１】
【補正対象書類名】明細書
【補正対象項目名】特許請求の範囲
【補正方法】変更
【補正の内容】
【特許請求の範囲】
【請求項１】  プロセス変数を感知し、センサ出力を供給する抵抗型温度センサ、
前記センサに接続され、前記センサの自己発熱指標に関する自己発熱信号を供給する自己発熱回路、
前記センサ出力および前記センサ監視回路に接続され、デジタル化されたセンサ出力およびデジタル化された自己発熱信号を供給するアナログ／デジタル変換回路、
センサ温度に関する信号を伝送するように、プロセス制御ループに接続された出力回路、および
前記デジタル化された自己発熱信号に接続され、前記デジタル化された自己発熱信号の関数としてセンサ較正に関する診断出力を応答的に供給する診断回路を含むプロセス制御システム内の伝送器。
【請求項２】  前記自己発熱信号に関する所望の結果の組を記憶するメモリを含む請求項１の伝送器。
【請求項３】  前記診断回路が神経回路網よりなる請求項１の伝送器。
【請求項４】  前記診断回路がファジィ論理よりなる請求項１の伝送器。
【請求項５】  前記診断回路が推定残寿命出力を供給する請求項１の伝送器。
【請求項６】  前記診断回路が、前記デジタル化された自己発熱信号の変化の割合（ＲＯＣ）の関数として、前記推定残寿命を決定する請求項５の伝送器。
【請求項７】  前記自己発熱回路が電流源および電圧測定回路を含む請求項１の伝送器。
【請求項８】  前記自己発熱回路が、前記センサに印加される電力の変化に応答するセンサ抵抗の変化の関数として、ＳＨ指標を決定する請求項１の伝送器。
【請求項９】  前記ＳＨ指標が（Ｒ1−Ｒ2）／（Ｐ1−Ｐ2）として計算される請求項８の伝送器。
【請求項１０】  前記出力回路が、前記診断出力に応答して前記センサ温度信号を較正する請求項１の伝送器。
【請求項１１】  前記較正が前記自己発熱信号の関数である請求項１の伝送器。
【請求項１２】  前記診断出力がセンサの期待寿命を示す請求項１の伝送器。
【請求項１３】  プロセス制御伝送器内の抵抗型温度センサを診断する方法であって、
前記センサの抵抗を感知し、デジタル化して、デジタル化されたセンサ出力を供給すること、
前記センサの自己発熱指標（ＳＨＩ）を取得すること、および
前記ＳＨＩの関数として診断出力を供給することを含む方法。
【請求項１４】  前記ＳＨＩの取得が、前記センサに供給される電力の変化に対応する、センサ抵抗の変化を測定することよりなる請求項１３の方法。
【請求項１５】  前記自己発熱指標が、（Ｒ1−Ｒ2）／（Ｐ1−Ｐ2）として計算される請求項１４の方法。
【請求項１６】  前記ＳＨＩの変化の割合に基づいて前記センサの残寿命を推定することを含む請求項１３の方法。
【請求項１７】  前記ＳＨＩの取得が、少なくとも２つの相異なるレベルの電流を前記センサに順次的に注入すること、およびその結果として生ずる前記センサ両端の電圧降下を測定することを含む請求項１３の方法。
【請求項１８】  前記診断出力の関数としてセンサの寿命予測を決定することを含む請求項１３の方法。
【請求項１９】  前記センサ出力および前記ＳＨＩの関数として前記センサの温度を決定することを含む請求項１３の方法。
【請求項２０】  プロセス制御ループに接続されるように適合された入／出力回路、
抵抗型温度センサ、
前記センサに接続されて前記センサに電流を注入する電流源、
前記センサに接続され、前記センサの両端の電圧降下に関する出力を供給する電圧測定回路、および
注入された電流および前記センサ両端の電圧降下の関数として、自己発熱（ＳＨ）指標出力を供給する診断回路を具備した、プロセス制御システム内で用いられるための温度伝送器。
【請求項２１】  前記診断回路が、前記ＳＨ指標の関数として、寿命予測出力を供給する請求項２０の伝送器。
【請求項２２】  前記センサ抵抗および前記ＳＨ指標の関数として、センサ温度に関する出力を供給する温度測定回路を含む請求項２０の伝送器。
【請求項２３】  前記ＳＨ指標が、前記センサに供給される電力の変化に対応する、前記センサの抵抗変化の関数として決定される請求項２０の伝送器。
【請求項２４】  前記ＳＨ指標が、（Ｒ1−Ｒ2）／（Ｐ1−Ｐ2）として計算される請求項２１の伝送器。
【請求項２５】  プロセス変数を感知し、センサ出力を供給する抵抗型温度センサ、
前記センサに接続され、前記センサの自己発熱指標に関する自己発熱信号を供給する自己発熱回路、
前記センサ出力および前記センサ監視回路に接続され、デジタル化されたセンサ出力およびデジタル化された自己発熱信号を供給するアナログ／デジタル変換回路、
前記デジタル化されたセンサ出力および前記デジタル化された自己発熱信号の関数として、前記温度センサの測定温度を計算する測定回路、および
前記プロセス制御ループに接続され、前記測定された温度を前記ループ上に伝送する出力回路を含むプロセス制御システム内で用いられる温度伝送器。
【請求項２６】  前記温度センサの定数Ｒ0が前記自己発熱信号の変化の関数として変化する請求項２５の温度伝送器。
【請求項２７】  前記温度センサの定数アルファ（α）が前記自己発熱信号の変化の関数として変化する請求項２５の温度伝送器。
【請求項２８】  前記測定された温度が前記センサ信号と定数Ｋとの積の関数である請求項２５の温度伝送器。  
【請求項２９】  前記測定された温度がＫと直線関係にあり、そのＫは前記自己発熱指標の関数である、請求項２８の温度伝送器。  
【請求項３０】  メモリに記憶されたルックアップ表を含み、前記ルックアップ表が前記自己発熱信号の関数としてＫを供給する、請求項２８の温度伝送器。  
【請求項３１】  前記デジタル化された自己発熱信号に接続され、前記デジタル化された自己発熱信号の関数としてセンサ較正に関する診断出力を応答的に供給する診断回路を含む請求項２５の温度伝送器。
【請求項３２】  前記センサに接続されて前記センサに電流を注入する電流源、
前記センサに接続されて前記センサ両端の電圧降下に関する出力を供給する電圧測定回路、および
注入された電流と前記センサ両端の電圧降下の関数として自己発熱（ＳＨ）指標出力を供給する診断回路を含む請求項２５の温度伝送器。
【請求項３３】
プロセス変数を感知し、センサ出力を供給する抵抗型温度センサ、
該センサへの電力入力の既知の変化に対するセンサ抵抗の変化として定義される、前記センサの自己発熱指標に関する自己発熱信号を供給する自己発熱回路、
前記センサ出力およびセンサモニタ回路に接続され、デジタル化されたセンサ出力とデジタル化された自己発熱信号を供給するアナログ−デジタル変換回路、
センサ温度に関する信号を伝送するように、プロセス制御ループに接続された出力回路、および、
前記デジタル化された自己発熱信号に接続され、前記デジタル化された自己発熱信号の関数としてセンサ較正に関する診断出力を応答的に供給する診断回路を含むプロセス制御システム内の伝送器。
【請求項３４】
デジタル化された抵抗センサ出力を供給するために、センサ抵抗を感知しデジタル化すること、
センサへの電力入力の既知の変化に対するセンサ抵抗の変化として定義される、前記センサの自己発熱指標（ＳＨＩ）を取得すること、および、
該ＳＨＩの関数として診断出力を供給することを含む、
プロセス制御伝送器内の温度センサに基づく抵抗を診断する方法。
【請求項３５】
プロセス制御ループに接続されるＩ／Ｏ回路、
抵抗型温度センサ、
該センサに電流を注入するために前記センサに接続された電流源、
前記センサの電圧降下に関する出力を供給する前記センサに接続される電圧測定回路、および、
センサへの電力入力の既知の変化に対するセンサ抵抗の変化として定義される自己発熱（ＳＨ）指標出力を、注入電流と電圧降下の関数として供給する診断回路を含む、
プロセス制御システム内で使用する温度伝送器。
【請求項３６】
プロセス変数を感知し、センサ出力を供給する抵抗型温度センサ、
該センサへの電力入力の既知の変化に対するセンサ抵抗の変化として定義される、前記センサの自己発熱指標に関する自己発熱信号を供給する前記センサに接続される自己発熱回路、  
前記センサ出力およびセンサモニタ回路に接続され、デジタル化されたセンサ出力とデジタル化された自己発熱信号を供給するアナログ−デジタル変換回路、
前記デジタル化されたセンサ出力およびデジタル化された自己発熱信号の関数として、温度センサの測定温度を計算する測定回路、および、
プロセス制御ループ上に前記測定温度を伝送するために、該ループに接続された出力回路を含む、
プロセス制御システム内で使用する温度伝送器。
【手続補正２】
【補正対象書類名】明細書
【補正対象項目名】００２０
【補正方法】変更
【補正の内容】
【００２０】
マイクロプロセッサ５２は次の式２を用いてＲＴＤセンサ素子６１の温度を計算する。
Ｒ1＝（ＲREFNOM）ＶR1／ＶRREF    式２
ここで、Ｒ1＝ＲＴＤセンサ素子６１の抵抗、
ＶR1＝ＲＴＤセンサ素子６１両端間の電圧降下、
ＶRREF＝抵抗ＲREF両端間の電圧降下、
ＲREFNOM＝基準抵抗ＲREFの、および／あるいはメモリ５６に記                        憶され た抵抗の公称抵抗（Ω）